(57)【要約】【課題】本発明の課題は、現在の紫外線強度の他にも紫外線対策を立てるための情報を提供することである。【解決手段】本発明によれば、紫外線強度と該紫外線強度が測定された位置情報と該位置において紫外線強度が測定された時間情報とが対応付けられた対応情報と、情報端末装置が取得した位置情報と、入力された時間情報とに基づいて、基準となる時間情報と入力された時間情報との間の紫外線強度を積算する。そのため、情報端末装置が取得した位置において、入力された時間情報に対応して積算された紫外線強度を予め提供することができるという効果を有する。【選択図】図２
2008203173.tif 000002
【特許請求の範囲】
【請求項１】
データを表示する表示手段と、データの通信を行う通信手段と、装置の制御を行う制御手段と、該制御手段に与えるデータを入力する操作手段とを有する情報端末装置において、
予め取得された紫外線強度と、該紫外線情報に対応した位置情報と、時間情報とが対応付けられた対応情報を格納する格納手段を有し、
該制御手段は、取得された位置情報と、該操作手段より入力された時間情報と、該対応情報とに基づいて、紫外線強度を取得し、該取得した紫外線強度を該表示手段に表示することを特徴とする情報端末装置。
【請求項２】
該制御手段は、該取得された位置情報と、該入力された時間情報と、該対応情報とに基づいて、基準となる時間情報と該入力された時間情報との間における紫外線強度を積算し、該積算した紫外線強度を該表示手段に表示することを特徴とする請求項１記載の情報端末装置。
【請求項３】
該制御手段は、該取得された位置情報の履歴と、該入力された時間情報と、該対応情報とに基づいて、該基準となる時間情報と該入力された時間情報との間における紫外線強度を積算することを特徴とする請求項２に記載の情報端末装置。
【請求項４】
紫外線強度を取得するセンサを有し、
該制御手段は、該制御手段が取得した紫外線強度と、該センサが測定した紫外線強度との比率を算出し、該比率に基づき該取得した紫外線強度を補正することを特徴とする請求項１記載の情報端末装置。
【請求項５】
データを表示する表示手段と、データの通信を行う通信手段と、装置の制御を行う制御手段と、該制御手段に与えるデータを入力する操作手段とを有する情報端末装置を制御する制御方法において、
取得された位置情報と、該操作手段より入力された時間情報と、予め取得された紫外線強度と、該紫外線情報に対応した位置情報と、時間情報とが対応付けられた対応情報とに基づいて、紫外線強度を取得する工程と、
該取得した紫外線強度を該表示手段に表示する工程と、
を有することを特徴とする制御方法。
【請求項６】
該取得された位置情報と、該入力された時間情報と、該対応情報とに基づいて、基準となる時間情報と該入力された時間情報との間における紫外線強度を積算する工程と、
該積算した紫外線強度を該表示手段に表示する工程と、
を有することを特徴とする請求項５記載の制御方法。
【請求項７】
該取得された位置情報の履歴と、該入力された時間情報と、該対応情報とに基づいて、該基準となる時間情報と該入力された時間情報との間における紫外線強度を積算する工程を有することを特徴とする請求項６に記載の制御方法。
【請求項８】
データを表示する表示手段と、データの通信を行う通信手段と、装置の制御を行う制御手段と、該制御手段に与えるデータを入力する操作手段とを有する情報端末装置を制御する制御プログラムであって、該情報端末装置を、
取得された位置情報と、該操作手段より入力された時間情報と、予め取得された紫外線強度と、該紫外線情報に対応した位置情報と、時間情報とが対応付けられた対応情報とに基づいて、紫外線強度を取得するステップ、
該取得した紫外線強度を該表示手段に表示するステップ、
として機能させることを特徴とする制御プログラム。
【請求項９】
該取得された位置情報と、該入力された時間情報と、該対応情報とに基づいて、基準となる時間情報と該入力された時間情報との間における紫外線強度を積算するステップ、
該積算した紫外線強度を該表示手段に表示するステップ、
として機能させることを特徴とする請求項８記載の制御プログラム。
【請求項１０】
該取得された位置情報の履歴と、該入力された時間情報と、該対応情報とに基づいて、該基準となる時間情報と該入力された時間情報との間における紫外線強度を積算するステップとして機能させることを特徴とする請求項９に記載の制御プログラム。
【発明の詳細な説明】
【技術分野】
【０００１】
本発明は、紫外線強度の算出方法に関する。
【背景技術】
【０００２】
有害紫外線を防御する役割を果たしているオゾン層の破壊が進んでいる。オゾン層が破壊されると、地表に到達する有害紫外線の量が増加し、皮膚老化の早期発症や皮膚癌が引き起こされる。そのため、屋外に出る時は、日焼け止めを塗るなど、事前に紫外線対策を立てることが求められている。
【０００３】
紫外線対策を行うための様々な技術が提案されている。例えば、ユーザの現在位置とその周辺地域の紫外線強度を提供することができる技術がある（特許文献１）。
【特許文献１】特開２００６‐１７７０８号公報
【発明の開示】
【発明が解決しようとする課題】
【０００４】
しかしながら、上述した技術では、現在の紫外線強度のみしかユーザに提供することができない。そのため、ユーザは、現在の紫外線強度のみという限られた情報に基づいて紫外線対策を立てなければならなかった。
【０００５】
本発明の課題は、現在の紫外線強度の他にも紫外線対策を立てるための情報を提供することである。
【課題を解決するための手段】
【０００６】
本発明は、上述した課題を解決するために、以下の手段を採用する。
【０００７】
第一の手段として：
情報端末装置は、データを表示する表示手段と、データの通信を行う通信手段と、装置の制御を行う制御手段と、該制御手段に与えるデータを入力する操作手段とを有し、予め取得された紫外線強度と、該紫外線情報に対応した位置情報と、時間情報とが対応付けられた対応情報を格納する格納手段を有し、該制御手段は、取得された位置情報と、該操作手段より入力された時間情報と、該対応情報とに基づいて、紫外線強度を取得し、該取得した紫外線強度を該表示手段に表示する。
【０００８】
第二の手段として：
該制御手段は、該取得された位置情報と、該入力された時間情報と、該対応情報とに基づいて、基準となる時間情報と該入力された時間情報との間における紫外線強度を積算し、該積算した紫外線強度を該表示手段に表示する。
【０００９】
第三の手段として：
該制御手段は、該取得された位置情報の履歴と、該入力された時間情報と、該対応情報とに基づいて、該基準となる時間情報と該入力された時間情報との間における紫外線強度を積算する。
【００１０】
第四の手段として：
情報端末装置は、紫外線強度を取得するセンサを有し、該制御手段は、該制御手段が取得した紫外線強度と、該センサが測定した紫外線強度との比率を算出し、該比率に基づき該取得した紫外線強度を補正する。
【００１１】
第五の手段として：
制御方法は、データを表示する表示手段と、データの通信を行う通信手段と、装置の制御を行う制御手段と、該制御手段に与えるデータを入力する操作手段とを有する情報端末装置を制御する制御方法であって、取得された位置情報と、該操作手段より入力された時間情報と、予め取得された紫外線強度と、該紫外線情報に対応した位置情報と、時間情報とが対応付けられた対応情報とに基づいて、紫外線強度を取得する工程と、該取得した紫外線強度を該表示手段に表示する工程とを有する。
【００１２】
第六の手段として：
該取得された位置情報と、該入力された時間情報と、該対応情報とに基づいて、基準となる時間情報と該入力された時間情報との間における紫外線強度を積算する工程と、該積算した紫外線強度を該表示手段に表示する工程とを有する。
【００１３】
第七の手段として：
該取得された位置情報の履歴と、該入力された時間情報と、該対応情報とに基づいて、該基準となる時間情報と該入力された時間情報との間における紫外線強度を積算する工程を有する。
【００１４】
第八の手段として：
制御プログラムは、データを表示する表示手段と、データの通信を行う通信手段と、装置の制御を行う制御手段と、該制御手段に与えるデータを入力する操作手段とを有する情報端末装置を制御する制御プログラムであって、該情報端末装置を、取得された位置情報と、該操作手段より入力された時間情報と、予め取得された紫外線強度と、該紫外線情報に対応した位置情報と、時間情報とが対応付けられた対応情報とに基づいて、紫外線強度を取得するステップ、該取得した紫外線強度を該表示手段に表示するステップとして機能させる。
【００１５】
第九の手段として：
該取得された位置情報と、該入力された時間情報と、該対応情報とに基づいて、基準となる時間情報と該入力された時間情報との間における紫外線強度を積算するステップ、該積算した紫外線強度を該表示手段に表示するステップとして機能させる。
【００１６】
第十の手段として：
該取得された位置情報の履歴と、該入力された時間情報と、該対応情報とに基づいて、該基準となる時間情報と該入力された時間情報との間における紫外線強度を積算するステップとして機能させる。
【発明の効果】
【００１７】
本発明によれば、予め取得された紫外線強度と該紫外線強度に対応した位置情報と時間情報とが対応付けられた対応情報と、取得された位置情報と、入力された時間情報とに基づいて、紫外線強度を取得する。そのため、取得された位置情報と、入力された時間情報に対応した紫外線強度を予め提供することができるという効果を有する。
【発明を実施するための最良の形態】
【００１８】
以下に図面を用いて本発明の実施の形態について説明する。
【００１９】
（実施例１）
（ハードウェア構成図）
図１は、本発明の実施の形態における携帯機器である携帯電話機のハードウェア構成を示す。図１に示すように、携帯電話機１００は、制御部（ＣＰＵ：Ｃｅｎｔｒａｌ  Ｐｒｏｃｅｓｓｉｎｇ  Ｕｎｉｔ）１０２、表示部１０４、不揮発性メモリ１０６、ＲＡＭ（Ｒａｎｄｏｍ  Ａｃｃｅｓｓ  Ｍｅｍｏｒｙ）１０８、操作部１１０、通信部１１２及びバス１１４を有する構成である。以下、各ブロックについて説明する。
【００２０】
ＣＰＵ１０２は、RAM１０８に展開されるＯＳ（Ｏｐｅｒａｔｉｎｇ  Ｓｙｓｔｅｍ）等、各種プログラムを実行する。RAM１０８は、不揮発性メモリ１０６から読み出されたプログラムの実行のための作業エリアとして使用される。表示部１０６は、計算結果の通知等、ＣＰＵ１０２が出す命令に基づいた画像表示を行う。不揮発性メモリ１０６は、例えばフラッシュメモリであり、ＣＰＵ１０２が実行する各種プログラムが格納されている。操作部１１０は、複数のキー及びキーへの操作を検出する検出回路を有する。検出回路は操作されたキーに関する情報をＣＰＵ１０２に通知する。
【００２１】
（ＵＶ情報予測処理の機能ブロック図）
図２は、紫外線（ＵＶ：Ｕｌｔｒａ  Ｖｉｏｌｅｔ）情報予測処理の一例を簡略的に示す機能ブロック図である。ＵＶ情報予測処理機能は、ＲＡＭ１０８及び不揮発性メモリ１０６から構成される。ＲＡＭ１０８には、位置情報取得部１１６、日時情報取得部１１８、比較データ取得部１２０、天候状態取得部１２２、ＵＶ情報値予測取得部１２４及びＵＶ情報通知部１２６が展開される。一方、不揮発性メモリ１０６には、日時情報管理部１２８及びデータ管理部１３０が格納されている。さらに、データ管理部１３０は、図３に表すように位置データ１３２、紫外線強度データ１３４、紫外線強度比データ１３６及び最小紅斑量データ１３８から構成される。以下、各ブロックについて説明する。
【００２２】
［位置情報取得部］
位置情報取得部１１６は、ユーザによる操作部１１０からの入力情報に基づいて位置情報を取得する。また、通信部１２２から位置情報を取得する。
【００２３】
［日時情報取得部］
日時情報取得部１１８は、日時情報管理部１２８から日時情報を取得する。なお、日時情報管理部１２８については後述する。
【００２４】
［比較データ選定部］
比較データ選定部１２０は、位置情報取得部１１６が通信部１２２から取得した位置情報に基づいて位置データ１２２からＰｏｓｉｔｉｏｎ＿ＩＤを取得する。なお、位置データ１２２については後述する。
【００２５】
［天候状態取得部］
天候状態取得部１２２は、ユーザによる操作部１１０からの入力情報に基づいて天候状態を取得する。また、通信部１２２を通じて、気象会社等が提供するサービスから天候状態を取得する。
【００２６】
［ＵＶ情報予測値処理部］
ＵＶ情報予測値処理部１２４は、ユーザから指定のあった予測時間帯について、紫外線強度を予測する。ここで紫外線強度とは、例えば、ＵＶインデックス、ＳＰＦ（Ｓｕｎ  Ｐｒｏｔｅｃｔｉｏｎ  Ｆａｃｔｏｒ）、ＰＡ（Ｐｒｏｔｅｃｔｉｏｎ  Ｇｕｉｄｅ  ｏｆ  Ｕｌｔｒａ  Ｖｉｏｌｅｔ  Ａｂｓｏｒｂ）等である。
【００２７】
ＵＶインデックスとは、有害紫外線の強度を表した指標である。
【００２８】
ＳＰＦとは、（日焼け止め塗布時の最小紅斑量）／（日焼け止め無塗布時の最小紅斑量）と定義されるＵＶＢ波の防止効果を表す指標である。ここで、ＵＶＢ波とは、太陽光に含まれる成分でありＵＶＢ波を浴びると肌が赤くなり、皮膚がむけるほどの日焼けになる。ＳＰＦは、紫外線を浴びた際、皮膚に赤い斑点ができるまでの時間を何倍に長く出来るかを表したものである。例えば、ＳＰＦ３０の日焼け止めを使用した場合、当該日焼け止めを使用しない場合と比較して紅い斑点が現れるまでの時間を３０倍に延ばすことができる。従って、（外出時に被爆する紅斑紫外線量）が（日焼け止め塗布時の最小紅斑量）以下であれば、日焼けを防ぐことができる。なお、紅斑紫外線量は、２５×（ＵＶインデックス）と定義され、単位は［ｍＷ／ｍ２］である。
【００２９】
ＵＶ情報予測値処理部１２４は、最小紅斑量（ＭＥＤ：Ｍｉｎｉｍｕｍ  Ｅｒｙｔｈｅｎａ  Ｄｏｅｓ）を用いて、（２５×（ＵＶインデックス）×３６００×Ｔ／１００００００）／ＭＥＤによって、ＳＰＦを算出する。なお、ここでＭＥＤの単位は［ＫＪ／ｍ２］である。これによれば、複雑なモデリングを行わなくても、ＵＶ情報値を算出することができる。そのため、高性能なＣＰＵを用いなくともＵＶ情報値を算出することができ、さらに演算量も少ないため、消費電力を抑えることができる。
【００３０】
ＵＶ情報予測値処理部１２４は、算出したＳＰＦに基づいてＰＡを算出する。ＰＡとは、ＵＶＡ波の防止効果を表す指標である。ＵＶＡ波とはＵＶＢ波よりも波長が長くＵＶＡ波を浴びても肌はそれほど赤くならない。ＳＰＦは肌が赤くなる原因を防ぐのに対して、ＰＡは皮膚の黒化が起こる原因を防ぐ。例えば、ＳＰＦが０以上１０以下の場合はＰＡ＋、ＳＰＦが１０以上３０以下の場合はＰＡ＋＋、ＳＰＦが３０以上の場合はＰＡ＋＋＋の効果が出るような日焼け止めを使うべきである。なお、ＰＡは三段階で表され、＋が多いほぼＵＶＡの防止効果がある。
【００３１】
［ＵＶ情報通知部］
ＵＶ情報通知部１２６は、ＵＶ情報値予測処理部１２４が算出したＵＶインデックス、ＳＰＦ、ＰＡを表示部１０４に表示する。
【００３２】
［位置データ］
図４は、位置データ１２２を示す。図４に示すように、位置データ１２２は、Ｐｏｓｉｔｉｏｎ＿ＩＤ２０２とＰｏｓｉｔｉｏｎ２１０と緯度２１２と経度２１４とが対応付けられている。位置情報取得部１１６は、通信部１２２から位置情報を取得した場合、取得した緯度と経度に基づいて、位置データ１２２からＰｏｓｉｔｉｏｎ＿ＩＤ２０２を取得する。
【００３３】
［月毎全日紫外線強度データ］
図５及び図６は、月毎全日紫外線強度データ１３４を示す。図５及び図６に示すように、月毎全日紫外線強度データ１３４は、位置データ１２２のＰｏｓｉｔｉｏｎ＿ＩＤ２０２が表す場所において、過去に測定された快晴時のＵＶインデックスの一時間平均データが月の上旬、中旬、下旬毎に対応付けられている。なお、これらのデータは、定期的に更新されても良い。
【００３４】
［各天候状態の紫外線強度比データ］
図７は、各天候状態の紫外線強度比データ１３６を示す。図７に示すように、天候状態２１６と強度比２１８とが対応付けられている。強度比２１８とは、太陽からの紫外光をオゾンに強く吸収される波長の光と吸収の少ない波長の光との比率である。月毎全日紫外線強度データ１３４に示したＵＶインデックスは快晴時での値のため、ＵＶインデックスに強度比をかけることで、各天候状態におけるＵＶインデックスを算出する。
【００３５】
［各スキンタイプ最小紅斑量データ］
図８は、各スキンタイプ最小紅斑量データ１３８を示す。図８に示すように、スキンタイプ２２０と最小紅斑量２２２とが対応付けられている。最小紅斑量２２２とは、UVB照射２４時間後に紅斑を来たすのに必要な最小の光線量である。スキンタイプ１とは、日焼けして赤くなりやすく、かつ褐色になりにくい肌のタイプである。スキンタイプ２とは、日焼けして赤くなり、やがて褐色になる肌のタイプである。スキンタイプ３とは、日焼けしても赤くならず、黒くなる肌のタイプである。上述したように、ＭＥＤはＳＰＦを算出する際に用いられる。上述したように、データ格納部１３０には、予め紫外線に関する情報等が格納されているため、例えば、外部のサーバと情報を取得するために通信を行う必要がない。そのため、通信費が発生せず、また、通信処理が不要なため、ＣＰＵに負荷を与えない。さらに、サーバ等の外部機器を必要としないため、設備の構築やメンテナンスに費用がかからない。
【００３６】
（実施例１の全体のフロー）
以下に図９及び図１０を用いて、ＵＶ情報値の予測処理について説明する。ここで、ＵＶ情報値とは、上述したＵＶインデックス、ＳＰＦ及びＰＡの総称である。
【００３７】
ステップＳ１０１において、位置情報取得部１１６は、通信部１１２を介して位置情報を取得する。位置情報とは、基地局やＧＰＳから取得するもので、例えば、緯度、経度に関する情報として取得される。また、位置情報は、例えば、ユーザによって操作部１１０から入力された情報を用いても良い。処理はステップＳ１０２へ移行する。
【００３８】
ステップＳ１０２において、日時情報取得部１１８は、ユーザによって操作部１１０から入力された予測時間帯を取得する。予測時間帯は、例えば、１０時〜１３時のように入力される。処理はステップＳ１０３へ移行する。
【００３９】
ステップＳ１０３において、ＣＰＵ１０２は、Ｆ＿Ｔｉｍｅが０になったか否かを判定する。Ｆ＿Ｔｉｍｅとは、予測時間帯の差分である。上述したように、予測時間帯が例えば１０時〜１３時であれば、Ｆ＿Ｔｉｍｅは３となる。各時間におけるＵＶ情報値が取得されると、Ｆ＿Ｔｉｍｅはデクリメントされる。即ち、Ｆ＿Ｔｉｍｅが０になったということは、ユーザによって指定された時間帯においてＵＶ情報の取得が完了したということである。Ｆ＿Ｔｉｍｅが０になった場合は、処理は図１３のステップＳ１１３へ移行する。一方、Ｆ＿Ｔｉｍｅが０になっていない場合は、処理はステップＳ１０４へ移行する。
【００４０】
ステップＳ１０４において、比較データ選定部１２０は、ステップＳ１０１において取得した位置情報に基づいて、位置データ１３２からＰｏｓｉｔｉｏｎ＿ＩＤ２０２を取得する。さらに、ステップＳ１０２において取得した予測時間帯と、Ｐｏｓｉｔｉｏｎ＿ＩＤ２０２に基づいて、紫外線強度データ１３４からＵＶインデックスを取得する。処理はステップＳ１０５へ移行する。
【００４１】
ステップＳ１０５において、天候状態取得部１２２は、天候状態を取得する。天候状態は、ユーザによって操作部１１０から入力されても良いし、例えば、通信部１１２を介して気象会社が提供する情報から取得されても良い。処理はステップＳ１０６へ移行する。
【００４２】
ステップＳ１０６において、ＵＶ情報値予測処理部１２４は、ステップＳ１０５において天候状態取得部１２２が取得した天候状態に基づいて、紫外線強度比データ１３８から天候状態に対応する強度比を取得する。処理はステップＳ１０７へ移行する。
【００４３】
ステップＳ１０７において、ＵＶ情報値予測処理部１２４は、ステップＳ１０４において比較データ選定部１２０が取得したＵＶインデックスに、ステップＳ１０６において取得した強度比をかけた値を算出する。処理はステップＳ１０８へ移行する。
【００４４】
ステップＳ１０８において、ＵＶ情報値予測処理部１２４は、ステップＳ１０７において算出した値を時刻と対応付けて不揮発性メモリ１１８に格納する。処理はステップＳ１０９へ移行する。
【００４５】
ステップＳ１０９において、ＵＶ情報値予測処理部１２４は、ユーザによって操作部１１０から入力されたスキンタイプに基づいて、各スキンタイプ最小紅斑量データ１３８からＭＥＤを取得する。処理はステップＳ１１０へ移行する。
【００４６】
ステップＳ１１０において、ＵＶ情報値予測処理部１２４は、ＳＰＦを算出する。処理はステップＳ１１１へ移行する。
【００４７】
ステップＳ１１１において、ＵＶ情報値予測処理部１２４は、ステップＳ１１０において算出したＳＰＦを積算して、不揮発性メモリ１１８に保存する。処理はステップＳ１１２へ移行する。
【００４８】
ステップＳ１１２において、ＣＰＵ１０２は、Ｆ＿Ｔｉｍｅをデクリメントする。処理はステップＳ１０３へ戻る。このように、Ｆ＿Ｔｉｍｅが０になるまで、即ち、ユーザによって指定された予測時間帯において、ＵＶ情報値が取得されるまで上述した処理が繰り返される。そして、ステップＳ１０３において、ＣＰＵ１０２がＦ＿Ｔｉｍｅが０になったと判定すると、処理は図１０のステップＳ１１３へ移行する。
【００４９】
図１０のステップＳ１１３において、ＵＶ情報値予測処理部１２４は、不揮発性メモリ１０６に保存されたＳＰＦの積算値が、０以上１０以下であるか否かを判定する。ＳＰＦの積算値が０以上１０以下である場合は、処理はステップＳ１１４へ移行し、ＵＶ情報値予測処理部１２４はＰＡ＋を不揮発性メモリ１０６に保存する。一方、ＳＰＦの積算値が０以上１０以下でない場合は、処理はステップＳ１１５へ移行する。
【００５０】
ステップＳ１１５において、ＵＶ情報値予測処理部１２４は、不揮発性メモリ１０６に保存されたＳＰＦの積算値が、１０以上３０以下であるか否かを判定する。ＳＰＦの積算値が１０以上３０以下である場合は、処理はステップＳ１１６へ移行し、ＵＶ情報値予測処理部１２４はＰＡ＋＋を不揮発性メモリ１０６に保存する。一方、ＳＰＦの積算値が１０以上３０以下でない場合は、処理はステップＳ１１７へ移行する。
【００５１】
ステップＳ１１７において、ＵＶ情報値予測処理部１２４は、ＰＡ＋＋＋を不揮発性メモリ１０６に保存する。処理はステップＳ１１８へ移行する。
【００５２】
ステップＳ１１８において、ＵＶ情報通知部１２６は、ＵＶ情報値を表示部１０４に表示する。ここで、表示するＵＶ情報値としては、ステップＳ１０７において算出されたＵＶインデックス、ステップＳ１１０において算出されたＳＰＦ、ステップＳ１１３からステップＳ１１７において決定されたＰＡを表示する。処理は終了する。これによれば、ユーザは、各ＵＶ情報値に基づいた対策を取ることができる。
【００５３】
（実施例２）
実施例１では、位置データ等に基づいて、予測時間帯でのＵＶ情報値を取得したが、他の構成にすることも考えられる。本実施例では、過去の一定期間におけるＵＶ情報値を取得し、ユーザにどの程度の紫外線を浴びていたかを通知する例について説明する。
【００５４】
（実施例２の全体のフロー）
ステップＳ２０１において、ＣＰＵ１０２は、ユーザによって操作部１１０より入力された期間情報を取得する。期間情報とは、例えば、過去の一ヶ月の間等、ユーザがＵＶ情報値が積算された値を取得したい期間である。処理はステップＳ２０２へ移行する。
【００５５】
ステップＳ２０２において、ＣＰＵ１０２は、ユーザによって入力された期間全てについて、ＵＶインデックスを取得したか否かを判定する。期間全てについて、ＵＶインデックスを取得した場合は、処理はステップＳ２１２へ移行する。一方、期間全てについて、ＵＶインデックスを取得していない場合は、処理はステップＳ２０３へ移行する。
【００５６】
ステップＳ２０３において、日時情報取得部１１８は、ユーザによって入力された期間から日を取得する。処理はステップＳ２０４へ移行する。
【００５７】
ステップＳ２０４において、位置情報取得部１１６は、ステップＳ２０３において、取得された日の携帯機器１００の位置情報を取得する。携帯機器１００の位置情報は履歴として例えば、不揮発性メモリ１０６に格納されている。処理はステップＳ２０５へ移行する。
【００５８】
ステップＳ２０５において、日時情報取得部１１８は、ユーザによって操作部１１０より入力された外出時間帯に関する情報を取得する。外出時間帯に関する情報を取得することで、ユーザが紫外線を浴びた時間帯を取得することができる。処理はステップＳ２０６へ移行する。
【００５９】
ステップＳ２０６において、ＣＰＵ１０２は、外出時間帯全てについて、ＵＶインデックスが算出されたか否かを判定する。外出時間帯全てについて、ＵＶインデックスが算出された場合は、処理はステップＳ２０３へ戻る。一方、全外出時間帯について、ＵＶインデックスが算出されていない場合は、処理はステップＳ２０７へ移行する。
【００６０】
ステップＳ２０７において、比較データ選定部１２０は、ステップＳ２０３において取得した日時情報、ステップＳ２０４において取得した位置情報、ステップＳ２０５において取得した外出時間帯及び紫外線強度データ１３４に基づいてＵＶインデックスを取得する。処理はステップＳ２０８へ移行する。
【００６１】
ステップＳ２０８において、天候状態取得部１２２は、天候状態を取得する。実施例２においては、過去の情報を取得するため、天候状態は例えば、通信部１１２を介して気象会社が提供する情報に基づいて取得されれば良い。処理はステップＳ２０９へ移行する。
【００６２】
ステップＳ２０９において、ＵＶ情報値予測処理部１２４は、天候状態取得部１２２がステップＳ２０８において取得した天候状態に基づいて、紫外線強度比データ１３８から天候状態に対応する強度比を取得する。処理はステップＳ２１０へ移行する。
【００６３】
ステップＳ２１０において、ＵＶ情報値予測処理部１２４は、ステップＳ２０７において比較データ選定部１２０が取得したＵＶインデックスに、ステップＳ２０９において取得した強度比をかけた値を算出する。処理はステップＳ２１１へ移行する。
【００６４】
ステップＳ２１１において、ＵＶ情報値予測処理部１２４は、ステップＳ２１０において算出した値を時刻と対応付けて不揮発性メモリ１１８に格納する。処理はステップＳ２０６へ戻り、ある日における指定された時間帯でのＵＶ情報値が取得される。さらに、ある日における指定された時間帯全てにおいてＵＶ情報値が取得されると、処理はステップＳ２０２へ戻る。このようにして、指定された期間内の全ての日において、ＵＶ情報値が取得される。指定された期間内の全ての日において、ＵＶ情報値が取得されると、処理はステップＳ２１２へ移行する。
【００６５】
ステップＳ２１２において、ＵＶ情報値予測処理部１２４は、不揮発性メモリ１０８に格納された指定期間内の外出時間帯におけるＵＶインデックスを積算する。処理はステップＳ２１３へ移行する。
【００６６】
ステップＳ２１３において、ＵＶ情報値通知部１２６は、ステップＳ２１２において積算された値を表示部１０４に表示する。処理は終了する。これによれば、ユーザは過去一ヶ月に浴びた紫外線の量を知ることができ、当該紫外線の量に基づいた対策を取ることができる。
【００６７】
（実施例３）
実施例１、２では、天候状態をユーザによる入力、または、気象会社からの情報に基づいて決定したが、他の構成にすることも考えられる。本実施例では、ＰＤ（Ｐｈｏｔｏ  Ｄｉｏｄｅ）センサ１１５を新たに追加する。そして、ＰＤセンサ１１５が取得したＵＶインデックスに基づいて天候状態を決定する。
【００６８】
（ハードウェア構成図）
図１２は、本発明の実施の形態における携帯機器である携帯電話機のハードウェア構成を示す。図１において説明した構成にＰＤセンサ１１５が新たに追加された構成になっている。ＰＤセンサ１１５はＵＶＡ、ＵＶＢの強度を出力する。他の構成については、図１において説明したものと同様なので、その説明を省略する。
【００６９】
（実施例３のＵＶ情報予測処理の機能ブロック図）
図１３は、実施例３におけるＵＶ情報予測処理の一例を簡略的に示す機能ブロック図である。
【００７０】
図２において説明した構成にＵＶ情報算出部１１７及び天候状態判定部１２１が新たに追加された構成になっている。以下、新たな構成について説明し、他の構成については図２において説明したものと同様なので、その説明を省略する。
【００７１】
［ＵＶ情報算出部］
ＵＶ情報算出部１１７は、ＰＤセンサ１１５が出力したＵＶＡ、ＵＶＢの強度に基づいてＵＶインデックスを取得する。
【００７２】
［天候状態判定部］
天候状態判定部１２１は、（ＵＶ情報算出部１１７が取得したＵＶインデックス）／（ＵＶ情報値予測処理部１２４が取得したＵＶインデックス）の比率を算出し、当該比率と各天候状態の紫外線強度比データ１３６に基づいて天候状態を判定する。
【００７３】
（実施例３の全体のフロー）
以下に図１４、図１５及び図１６を用いて、ＵＶの予測処理について説明する。
【００７４】
ステップＳ３０１において、ＵＶ情報値算出部１１７は、ＰＤセンサ１１５が取得したＵＶＡ、ＵＶＢの強度に基づいて、ＵＶインデックスを算出する。これによれば、携帯電話機にＰＤセンサを備えているので、簡単に紫外線強度を取得することができる。処理はステップＳ３０２へ移行する。
【００７５】
ステップＳ３０２において、位置情報取得部１１６は、通信部１１２を介して位置情報を取得する。位置情報とは、基地局やＧＰＳから取得するもので、例えば、緯度、経度に関する情報として取得される。処理はステップＳ３０３へ移行する。
【００７６】
ステップＳ３０３において、日時情報取得部１１８は、ユーザによって操作部１１０から入力された予測時間帯を取得する。処理はステップＳ３０４へ移行する。
【００７７】
ステップＳ３０４において、ＣＰＵ１０２は、Ｆ＿Ｔｉｍｅが０になったか否かを判定する。Ｆ＿Ｔｉｍｅが０になった場合は、処理はステップＳ３１７へ移行する。一方、Ｆ＿Ｔｉｍｅが０になっていない場合は、処理はステップＳ３０５へ移行する。
【００７８】
ステップＳ３０５において、比較データ選定部１２０は、ステップＳ３０２において取得した位置情報に基づいて、位置データ１３２からＰｏｓｉｔｉｏｎ＿ＩＤ２０２を取得する。さらに、ステップＳ３０３において取得した予測時間帯と、Ｐｏｓｉｔｉｏｎ＿ＩＤ２０２に基づいて、紫外線強度データ１３４からＵＶインデックスを取得する。処理はステップＳ３０６へ移行する。
【００７９】
ステップＳ３０６において、天候状態判定部１２１は、ステップＳ３０１において取得したＵＶインデックスとステップＳ３０５において取得したＵＶインデックスとの比率を算出する。処理はステップＳ３０７へ移行する。
【００８０】
ステップＳ３０７において、天候状態取得部１２２は、ユーザによって操作部１１０から天候状態の入力があったか否かを判定する。天候状態の入力があった場合は、処理はステップＳ３０８へ移行する。一方、天候状態の入力がなかった場合は、処理はステップＳ３０９へ移行する。
【００８１】
ステップＳ３０８において、天候状態取得部１２２は、ユーザによって入力された天候状態を取得する。処理はステップＳ３１０へ移行する。一方、ステップＳ３０９において、天候状態取得部１２２は、ステップＳ３０６において算出された比率と、紫外線強度比データ１３８に基づいて、天候状態を取得する。処理はステップＳ３１０へ移行する。
【００８２】
ステップＳ３１０において、ＵＶ情報値予測処理部１２４は、天候状態取得部１２２が取得した天候状態に基づいて、紫外線強度比データ１３８から天候状態に対応する強度比を取得する。処理はステップＳ３１１へ移行する。
【００８３】
ステップＳ３１１において、ＵＶ情報値予測処理部１２４は、ステップＳ３０５において比較データ選定部１２０が取得したＵＶインデックスに、ステップＳ３１０において取得した強度比をかけた値を算出する。処理はステップＳ３１２へ移行する。
【００８４】
ステップＳ３１２において、ＵＶ情報値予測処理部１２４は、ステップＳ３１１において算出した値を時刻と対応付けて不揮発性メモリ１１８に格納する。処理はステップＳ３１２へ移行する。
【００８５】
ステップＳ３１２において、ＵＶ情報値予測処理部１２４は、ユーザによって操作部１１０から入力されたスキンタイプに基づいて、ＭＥＤを取得する。処理はステップＳ３１３へ移行する。
【００８６】
ステップＳ３１４において、ＵＶ情報値予測処理部１２４は、ＳＰＦを算出する。処理はステップＳ３１５へ移行する。
【００８７】
ステップＳ３１５において、ＵＶ情報値予測処理部１２４は、ステップＳ３１４において算出したＳＰＦを積算して、不揮発性メモリ１１８に保存する。処理はステップＳ３１６へ移行する。
【００８８】
ステップＳ３１６において、ＣＰＵ１０２は、Ｆ＿Ｔｉｍｅをデクリメントする。処理はステップＳ３０４へ戻る。
【００８９】
ステップＳ３０４において、ＣＰＵ１０２がＦ＿Ｔｉｍｅが０になったと判定すると、処理は図１６のステップＳ３１７へ移行する。
【００９０】
ステップＳ３１７において、ＵＶ情報値予測処理部１２４は、不揮発性メモリ１０６に保存されたＳＰＦの積算値が、０以上１０以下であるか否かを判定する。ＳＰＦの積算値が０以上１０以下である場合は、処理はステップＳ３１８へ移行し、ＵＶ情報値予測処理部１２４はＰＡ＋を不揮発性メモリ１０６に保存する。一方、ＳＰＦの積算値が０以上１０以下でない場合は、処理はステップＳ３１９へ移行する。
【００９１】
ステップＳ３１９において、ＵＶ情報値予測処理部１２４は、不揮発性メモリ１０６に保存されたＳＰＦの積算値が、１０以上３０以下であるか否かを判定する。ＳＰＦの積算値が１０以上３０以下である場合は、処理はステップＳ３２０へ移行し、ＵＶ情報値予測処理部１２４はＰＡ＋＋を不揮発性メモリ１０６に保存する。一方、ＳＰＦの積算値が１０以上３０以下でない場合は、処理はステップＳ３２１へ移行する。
【００９２】
ステップＳ３２１において、ＵＶ情報値予測処理部１２４は、ＰＡ＋＋＋を不揮発性メモリ１０６に保存する。処理はステップＳ３２２へ移行する。
【００９３】
ステップＳ３２２において、ＵＶ情報通知部１２６は、ＵＶ情報値を表示部１０４に表示する。ここで、表示するＵＶ情報値としては、ステップＳ３０７において算出されたＵＶインデックス、ステップＳ１１０において算出されたＳＰＦ、ステップＳ１１３からステップＳ１１７において決定されたＰＡを表示する。処理は終了する。
【００９４】
このように、本実施例によれば、ステップＳ３０７において説明したように、ユーザからの天候状態の入力がなくても、自動的に天候状態を取得することが可能なため、ユーザに煩わしさを与えることがない。
【００９５】
以上の実施の形態は、本発明をより良く理解させるために具体的に説明したものであって、別形態を制限するものではない。従って、発明の趣旨を変更しない範囲で変更可能である。
【００９６】
次に、以上に述べた実施形態から生成される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
（付記１）
データを表示する表示手段と、データの通信を行う通信手段と、装置の制御を行う制御手段と、該制御手段に与えるデータを入力する操作手段とを有する情報端末装置において、
予め取得された紫外線強度と、該紫外線情報に対応した位置情報と、時間情報とが対応付けられた対応情報を格納する格納手段を有し、
該制御手段は、取得された位置情報と、該操作手段より入力された時間情報と、該対応情報とに基づいて、紫外線強度を取得し、該取得した紫外線強度を該表示手段に表示することを特徴とする情報端末装置。
（付記２）
該制御手段は、該取得された位置情報と、該入力された時間情報と、該対応情報とに基づいて、基準となる時間情報と該入力された時間情報との間における紫外線強度を積算し、該積算した紫外線強度を該表示手段に表示することを特徴とする付記１記載の情報端末装置。
（付記３）
該制御手段は、該取得された位置情報の履歴と、該入力された時間情報と、該対応情報とに基づいて、該基準となる時間情報と該入力された時間情報との間における紫外線強度を積算することを特徴とする付記２に記載の情報端末装置。
（付記４）
該制御手段は、該取得した紫外線強度と、天気情報と紫外線強度を補正する値とが対応付けられた第二の対応情報に基づき、該取得した紫外線強度を補正することを特徴とする付記１記載の情報端末装置。
（付記５）
該制御手段は、該取得した紫外線強度と、ユーザの肌の状態と紫外線強度を補正する値とが対応付けられた第三の対応情報に基づき、該取得した紫外線強度を補正することを特徴とする付記１記載の情報端末装置。
（付記６）
該取得された位置情報は、該通信手段により取得されることを特徴とする付記１〜５のいずれか１項に記載の情報端末装置。
（付記７）
該取得された位置情報は、該操作手段により入力されることを特徴とする付記１〜５のいずれか１項に記載の情報端末装置。
（付記８）
紫外線強度を取得するセンサを有し、
該制御手段は、該制御手段が取得した紫外線強度と、該センサが測定した紫外線強度との比率を算出し、該比率に基づき該取得した紫外線強度を補正することを特徴とする付記１記載の情報端末装置。
（付記９）
データを表示する表示手段と、データの通信を行う通信手段と、装置の制御を行う制御手段と、該制御手段に与えるデータを入力する操作手段とを有する情報端末装置を制御する制御方法において、
取得された位置情報と、該操作手段より入力された時間情報と、予め取得された紫外線強度と、該紫外線情報に対応した位置情報と、時間情報とが対応付けられた対応情報とに基づいて、紫外線強度を取得する工程と、
該取得した紫外線強度を該表示手段に表示する工程と、
を有することを特徴とする制御方法。
（付記１０）
該取得された位置情報と、該入力された時間情報と、該対応情報とに基づいて、基準となる時間情報と該入力された時間情報との間における紫外線強度を積算する工程と、
該積算した紫外線強度を該表示手段に表示する工程と、
を有することを特徴とする付記９記載の制御方法。
（付記１１）
該位置情報の履歴と、該入力された時間情報と、該対応情報とに基づいて、該基準となる時間情報と該入力された時間情報との間における紫外線強度を積算する工程を有することを特徴とする付記１０に記載の制御方法。
（付記１２）
該取得した紫外線強度と、天気情報と紫外線強度を補正する値とが対応付けられた第二の対応情報に基づき、該取得した紫外線強度を補正する工程を有することを特徴とする付記９記載の制御方法。
（付記１３）
該取得した紫外線強度と、ユーザの肌の状態と紫外線強度を補正する値とが対応付けられた第三の対応情報に基づき、該取得した紫外線強度を補正することを特徴とする付記９記載の制御方法。
（付記１４）
該取得された位置情報は、該通信手段により取得されることを特徴とする付記９〜１３のいずれか１項に記載の制御方法。
（付記１５）
該取得された位置情報は、該操作手段により入力されることを特徴とする付記９〜１３のいずれか１項に記載の制御方法。
（付記１６）
該情報端末装置は、紫外線強度を取得するセンサを有し、
該制御手段が取得した紫外線強度と、該センサが測定した紫外線強度との比率を算出し、該比率に基づき該取得した紫外線強度を補正する工程を有することを特徴とする付記９記載の制御方法。
（付記１７）
データを表示する表示手段と、データの通信を行う通信手段と、装置の制御を行う制御手段と、該制御手段に与えるデータを入力する操作手段とを有する情報端末装置を制御する制御プログラムであって、該情報端末装置を、
取得された位置情報と、該操作手段より入力された時間情報と、予め取得された紫外線強度と、該紫外線情報に対応した位置情報と、時間情報とが対応付けられた対応情報とに基づいて、紫外線強度を取得するステップ、
該取得した紫外線強度を該表示手段に表示するステップ、
として機能させることを特徴とする制御プログラム。
（付記１８）
該取得された位置情報と、該入力された時間情報と、該対応情報とに基づいて、基準となる時間情報と該入力された時間情報との間における紫外線強度を積算するステップ、
該積算した紫外線強度を該表示手段に表示するステップ、
として機能させることを特徴とする付記１７記載の制御プログラム。
（付記１９）
該取得された位置情報の履歴と、該入力された時間情報と、該対応情報とに基づいて、該基準となる時間情報と該入力された時間情報との間における紫外線強度を積算するステップとして機能させることを特徴とする付記１８に記載の制御プログラム。
（付記２０）
該取得した紫外線強度と、天気情報と紫外線強度を補正する値とが対応付けられた第二の対応情報に基づき、該取得した紫外線強度を補正するステップとして機能させることを特徴とする付記１７記載の制御プログラム。
（付記２１）
該取得した紫外線強度と、ユーザの肌の状態と紫外線強度を補正する値とが対応付けられた第三の対応情報に基づき、該取得した紫外線強度を補正するステップとして機能させることを特徴とする付記１７記載の制御プログラム。
（付記２２）
該取得された位置情報は、該通信手段により取得されることを特徴とする付記１７〜２１のいずれか１項に記載の制御プログラム。
（付記２３）
該取得された位置情報は、該操作手段により入力されることを特徴とする付記１７〜２１のいずれか１項に記載の制御プログラム。
（付記２４）
該情報端末装置は、紫外線強度を取得するセンサを有し、
該制御手段が取得した紫外線強度と、該センサが測定した紫外線強度との比率を算出し、該比率に基づき該取得した紫外線強度を補正するステップとして機能させることを特徴とする付記１７記載の制御プログラム。
【図面の簡単な説明】
【００９７】
【図１】情報端末装置のハードウェア構成図を表す図（その１）である。
【図２】ＵＶ情報値取得処理の機能ブロック図（その１）である。
【図３】データ格納部を表す図である。
【図４】位置データを表す図である。
【図５】月毎全日紫外線強度データを表す図（その１）である。
【図６】月毎全日紫外線強度データを表す図（その２）である。
【図７】各天候状態の紫外線強度比データを表す図である。
【図８】各スキンタイプ最小紅斑量データを表す図である。
【図９】ＵＶ情報値の予測処理のフローチャート（その１）である。
【図１０】ＵＶ情報値の予測処理のフローチャート（その２）である。
【図１１】ＵＶ情報値の取得処理のフローチャートである。
【図１２】情報端末装置のハードウェア構成図を表す図（その１）である。
【図１３】ＵＶ情報値取得処理の機能ブロック図（その２）である。
【図１４】ＵＶ情報値の予測処理のフローチャート（その３）である。
【図１５】ＵＶ情報値の予測処理のフローチャート（その４）である。
【図１６】ＵＶ情報値の予測処理のフローチャート（その５）である。
【符号の説明】
【００９８】
１００  携帯機器
１０２  ＣＰＵ
１０４  表示部
１０６  不揮発性メモリ
１０８  ＲＡＭ
１１０  操作部
１１２  通信部
１１４  バス
１１５  ＰＤセンサ
１１６  位置情報取得部
１１７  ＵＶ情報値算出部
１１８  日時情報取得部
１２０  比較データ選定部
１２２  天候状態取得部
１２４  ＵＶ情報値予測取得部
１２６  ＵＶ情報値通知部
１２８  日時情報管理部
１３０  データ管理部
１３２  位置データ
１３４  紫外線強度データ
１３６  紫外線強度比データ
１３８  最小紅斑量データ
２０２  Ｐｏｓｉｔｉｏｎ＿ＩＤ
２０４  Ｍｏｎｔｈ
２０６  Ｔｉｍｅ
２０８  ＵＶインデックス
２１０  Ｐｏｓｉｔｉｏｎ
２１２  Ｌａｔｉｔｕｄｅ
２１４  Ｌｏｎｇｉｔｕｄｅ
２１６  天候状態
２１８  強度比
２２０  スキンタイプ
２２２  最小紅斑量
【図１】
2008203173.tif 000003
【図２】
2008203173.tif 000004
【図３】
2008203173.tif 000005
【図４】
2008203173.tif 000006
【図５】
2008203173.tif 000007
【図６】
2008203173.tif 000008
【図７】
2008203173.tif 000009
【図８】
2008203173.tif 000010
【図９】
2008203173.tif 000011
【図１０】
2008203173.tif 000012
【図１１】
2008203173.tif 000013
【図１２】
2008203173.tif 000014
【図１３】
2008203173.tif 000015
【図１４】
2008203173.tif 000016
【図１５】
2008203173.tif 000017
【図１６】
2008203173.tif 000018